(57)【要約】    【課題】  シャッタカーテンのスラットの板厚を厚くする等の対策を講じることなく、金切り鋏、金鋸等の工具を使用しても、容易に切断できない様にして防犯性を向上させた。    【解決手段】  スラットを所要数連結して構成されるシャッタカーテン１を具備し、上下に隣り合うスラット同士の連結部に形成される空間７に回転可能な補強材８を少なくとも前記シャッタの両側部で移動を案内する両ガイドレール間に掛渡って挿入した。    【選択図】          図３
2006161493.tif 000002
【特許請求の範囲】
【請求項１】
スラットを所要数連結して構成されるシャッタカーテンを具備し、上下に隣り合うスラット同士の連結部に形成される空間に回転可能な補強材を少なくとも前記シャッタカーテンの両側部で移動を案内する両ガイドレール間に掛渡って挿入したことを特徴とするシャッタ装置。
【請求項２】
前記補強材は、シャッタカーテンの下部で防犯上必要な範囲に設けられた請求項１のシャッタ装置。
【請求項３】
前記補強材は所要数の分割補強材に分割された請求項１のシャッタ装置。
【請求項４】
前記補強材の少なくとも一端側に圧縮スプリングが設けられ、分割補強材同士が接触する様に付勢した請求項３のシャッタ装置。
【請求項５】
上下に複数設けた前記補強材の分割位置が上下でずれている請求項３のシャッタ装置。
【請求項６】
前記補強材の外面に該補強材の回転性を向上させる表面材を設けた請求項１、請求項３のいずれか一方のシャッタ装置。
【発明の詳細な説明】
【技術分野】
【０００１】
本発明は、スラットを所要数連結して構成されるシャッタカーテンを具備するシャッタ装置に関するものである。
【背景技術】
【０００２】
建屋等の構築構造物の出入口等の開口部を開閉する開閉手段としてシャッタ装置がある。シャッタ装置としては、例えば、所要数のスラットを屈曲自在に連結して構成されたシャッタカーテンを有し、該シャッタカーテンを開口部上方に設けられた開閉装置により巻取り、巻戻して開口部を開閉するものがある。
【０００３】
近年では、シャッタ装置には開口部を開閉するだけでなく、従来より高い防犯性を求められている。
【０００４】
シャッタカーテンが閉鎖されている状態で、第三者の悪意による侵入が行われる場合、シャッタカーテンの鍵を壊す或は施錠を解除してシャッタカーテンを開放するだけでなく、シャッタカーテンそのものを破壊、切断する場合がある。
【０００５】
例えば、シャッタカーテンが切断される場合は、金切り鋏、金鋸、グラインダ等の工具が使用されている。シャッタカーテンが切断され、シャッタカーテンの一部が開放され、開放された部分から手を差入れ施錠を解除する、或は開放部分から直接侵入する等の事例が報告されている。
【０００６】
シャッタカーテンの切断、破壊等に対する防犯対策としては、シャッタカーテンの板厚を増大する等、シャッタカーテン自体の強度を増大させる方法が考えられる。
【０００７】
シャッタカーテンの板厚を増大する等して、シャッタカーテンの強度を増大させた場合、シャッタカーテンの重量が増大し、手動式で開閉される手動式のシャッタ装置では、開閉に大きな力が必要となり、使用者の負担が増大する。又、電動式のシャッタ装置では、シャッタカーテン巻取りの為に容量の大きい開閉機（モータ）が必要となり、コスト的に高くなるという課題があった。
【０００８】
更に、既存のシャッタ装置に対しては実施できないので、シャッタ装置自体を新規なものに取替える必要があった。
【０００９】
従来、シャッタ装置の防犯性を高める構造を有しているシャッタカーテンとして、例えば特許文献１に示されるものがある。
【００１０】
図６には特許文献１で使用されたスラット１５の断面を示しており、該スラット１５の上端部、下端部に形成されるカール状の連結部１６，１７に折返しが形成されている。該連結部１６，１７に折返しが形成されることで、該連結部１６，１７の強度が増大し、その結果金切り鋏、金鋸による切断の困難性が増大し、侵入に至る迄の時間を遅延させる効果がある。
【００１１】
然し乍ら、スラットの板厚自体が薄く、折返し部を形成したとしても、著しい強度の増大は見込めなく、又実施する場合はシャッタカーテン全体を取替えなければならならず、コスト高となるという課題を有していた。
【００１２】
【特許文献１】特開平６−７３９６５号公報
【発明の開示】
【発明が解決しようとする課題】
【００１３】
本発明は斯かる実情に鑑み、シャッタカーテンのスラットの板厚を厚くする等の対策を講じることなく、金切り鋏、金鋸等の工具を使用しても、容易に切断できない様にして防犯性を向上させたものである。
【課題を解決するための手段】
【００１４】
本発明は、スラットを所要数連結して構成されるシャッタカーテンを具備し、上下に隣り合うスラット同士の連結部に形成される空間に回転可能な補強材を少なくとも前記シャッタカーテンの両側部で移動を案内する両ガイドレール間に掛渡って挿入したシャッタ装置に係り、又前記補強材は、シャッタカーテンの下部で防犯上必要な範囲に設けられたシャッタ装置に係り、又前記補強材は所要数の分割補強材に分割されたシャッタ装置に係り、又前記補強材の少なくとも一端側に圧縮スプリングが設けられ、分割補強材同士が接触する様に付勢したシャッタ装置に係り、又上下に複数設けた前記補強材の分割位置が上下でずれているシャッタ装置に係り、更に又前記補強材の外面に該補強材の回転性を向上させる表面材を設けたシャッタ装置に係るものである。
【発明の効果】
【００１５】
本発明によれば、スラットを所要数連結して構成されるシャッタカーテンを具備し、上下に隣り合うスラット同士の連結部に形成される空間に回転可能な補強材を少なくとも前記シャッタカーテンの両側部で移動を案内する両ガイドレール間に掛渡って挿入したので、前記補強材がスラット連結部の強度を補強すると共に前記補強材が回転することで、切断の困難性を増大させ、防犯性能が向上する。
【００１６】
又、本発明によれば、前記補強材は、シャッタカーテンの下部で防犯上必要な範囲に設けられたので、コストの上昇を抑制でき、又シャッタカーテンの重量の増加を抑制できる。
【００１７】
又、本発明によれば、前記補強材は所要数の分割補強材に分割されたので、補強材の回転し易さが増大し、切断の困難性がより増大し、防犯性能が向上する。
【００１８】
又、本発明によれば、前記補強材の少なくとも一端側に圧縮スプリングが設けられ、分割補強材同士が接触する様に付勢したので、分割による分割位置に隙間ができるのが抑制される。
【００１９】
又、本発明によれば、上下に複数設けた前記補強材の分割位置が上下でずれているので、切断する位置が部分的に分割位置に合致したとしても、補強材の切断に対する困難性が損われることがない。
【００２０】
又、本発明によれば、前記補強材の外面に該補強材の回転性を向上させる表面材を設けたので、補強材の回転し易さが増大し、切断の困難性が更に増大し、防犯性能が向上する等の優れた効果を発揮する。
【発明を実施するための最良の形態】
【００２１】
以下、図面を参照しつつ本発明を実施する為の最良の形態を説明する。
【００２２】
図１はシャッタ装置の全体の概略を示しており、図２は側断面を示している。図中、１はシャッタカーテン、２はガイドレール、３は巻取部（図中ケースは省略している）を示している。前記シャッタカーテン１は、複数の金属製のスラット４を屈曲自在に連結して構成され、前記ガイドレール２に沿って昇降し、前記巻取部３に巻取られ、或は巻取部３から繰出される。
【００２３】
前記スラット４は図２に示される様に、上端部にカール状に成形された上連結部５、下端部に前記上連結部５とは逆巻のカール状に成形された下連結部６が設けられており、上段のスラット４の前記下連結部６と下段のスラット４の前記上連結部５とが嵌合することで上下のスラットが屈曲自在に連結される。
【００２４】
又、前記上連結部５と前記下連結部６とが嵌合した状態では、中心部に円筒状の空間７が形成される。該空間７に断面外径が円の中空、又は中実の補強材８をスラット４の略全長に亘って、或は少なくとも両端部のガイドレール間に掛渡って挿入する。又、前記補強材８は前記空間７内で回転自在となっており、好ましくは耐錆性を有する材質、硬度、強度の大きい材質であり、例えば硬質ステンレス棒、硬鋼線或はピアノ線が用いられる。前記上連結部５、前記下連結部６の少なくとも一方の両端部にはカシメが施され、前記補強材８が前記空間７から抜出さない様になっている。
【００２５】
前記シャッタカーテン１を金切り鋏、金鋸、グラインダによって切断して開口部を形成する場合は、前記スラット４，４の連結部に前記補強材８が回転自在に挿入されている為、切断時に前記補強材８が回って切断の進行を阻止する。例えば、金鋸により切断している際、鋸歯の前後に追従して前記補強材８が回転すると、切断が進行しない。又、グラインダによる切断の場合も、グラインダの砥石の回転に追従して前記補強材８が回転するとやはり切断が進行しない。又、金切り鋏で切断する場合、前記スラット４の材質は、一般的に軟鉄材、或はアルミ材などであり、金切り鋏での切断は比較的容易であるが、高強度、高硬度の前記補強材８を切断することは容易でない。特に、該補強材８が材料調質がなされているピアノ線等であると、切断することが容易でないと共に金切り鋏の刃を痛め、前記補強材８の切断後前記スラット４を切断する作業に支障を与える。
【００２６】
而して、シャッタカーテン１の切断に多くの時間を必要とすることとなり、防犯性が向上する。
【００２７】
尚、該シャッタカーテン１を切断して侵入する場合、該シャッタカーテン１の下部から侵入するので、前記補強材８の挿入範囲は図１で示される下部のＡ部分、例えば腰の高さ迄としてもよい。前記シャッタカーテン１の下部に限定すれば、コストの上昇を抑制でき、又該シャッタカーテン１の重量が大きくなることを抑制できる。尚、前記補強材８の挿入は隔段毎の前記空間７に挿入してもよい。又、前記補強材８の挿入は、前記上連結部５と前記下連結部６が嵌合する際に形成される前記空間７を利用するので、既存のシャッタカーテン１に対して実施することができる。
【００２８】
図４は第２の実施の形態を示している。
【００２９】
第２の実施の形態では、前記補強材８の回転易さを更に増大させたものであり、該補強材８を所要分割し、分割補強材８ａを前記空間７に隙間ができない様に、前記スラット４の略全長に亘って挿入したものである。長い補強材８よりも、短く分割された分割補強材８ａの方が回転しやすく、金鋸、グラインダによる切断に対して、更に困難性が増大する。
【００３０】
前記補強材８を分割した場合、前記分割補強材８ａ，８ａの境界位置（分割位置）が上下で一致しない様に、該分割補強材８ａの長さを均等とせず、適宜長さの異なるものを順番を違えて挿入する。該分割補強材８ａ，８ａの分割位置が上下で異なることで、切断位置が偶然分割位置に一致した場合でも、他の部分の連結部で、切断の阻止、抑制が行われる。
【００３１】
又、前記補強材８を分割した場合、前記分割補強材８ａ，８ａの分割位置で隙間を生じない様にする為、前記空間７の両端部、又は一端部に圧縮スプリング９を挿入し、該圧縮スプリング９の反発力で、隣接する分割補強材８ａ，８ａを押付ける様にしてもよい。
【００３２】
尚、前記圧縮スプリング９を設ける場合、該圧縮スプリング９が前記ガイドレール２内に収納される様にすれば、切断に対する阻止、抑制効果は低減しない。
【００３３】
又、前記補強材８、前記分割補強材８ａの回転性を向上させる為に、図５に示される様に、該補強材８、分割補強材８ａの外面に潤滑性を有する材質、例えば合成樹脂（ポリアセタール樹脂、フッ素樹脂等）の表面材１１を被覆させれば、前記補強材８、前記分割補強材８ａに押圧力が作用した場合も、前記補強材８、前記分割補強材８ａと前記下連結部６間での接触抵抗を前記表面材１１が低減して、前記補強材８、前記分割補強材８ａの回易さが維持される。尚、前記補強材８、前記分割補強材８ａ、或は上連結部５、下連結部６に油等の潤滑剤を塗布してもよい。或は、前記表面材１１に多孔質の材質を用い該表面材１１に潤滑油を含浸させてもよい。
【００３４】
又、分割補強材８ａの硬度を高くすることで、工具による切断強度をより高くすることができる。又、分割補強材８ａと圧縮スプリング９により構成されている為、分割補強材８ａを同一長さとしスラットの長さに応じて、分割補強材の本数を変えればよく、長さの異なる補強材を複数用意する必要がないので、組立上も効率が良くなる。
【００３５】
又、前記補強材８を複数の細いピアノ線、ガラス繊維の紐等をルーズな状態に束ねたものとしてもよく、この場合、金鋸等で切断した場合、ピアノ線、ガラス繊維の紐等がバラバラとなって切断が容易に行われない。
【００３６】
上述した如く、前記スラット４，４の連結部の空間７を利用して、該空間７に前記補強材８、分割補強材８ａを挿入することで、切断の困難性を増大させ、侵入が可能となる切断迄の時間が延長され、防犯性が向上する。
【図面の簡単な説明】
【００３７】
【図１】本発明の実施の形態を示すシャッタ装置の全体の概略である。
【図２】同前本発明の実施の形態を示す側断面図である。
【図３】該実施の形態に於けるスラット連結部の拡大側面図である。
【図４】本発明の第２の実施の形態を示す部分正面図である。
【図５】本発明に使用される補強材の変更例を示す斜視図である。
【図６】従来例を示す断面図である。
【符号の説明】
【００３８】
１              シャッタカーテン
２              ガイドレール
３              巻取部
４              スラット
５              上連結部
６              下連結部
７              空間
８              補強材
８ａ            分割補強材
９              圧縮スプリング
１１            表面材
【図１】
2006161493.tif 000003
【図２】
2006161493.tif 000004
【図３】
2006161493.tif 000005
【図４】
2006161493.tif 000006
【図５】
2006161493.tif 000007
【図６】
2006161493.tif 000008